(57)【要約】【課題】一つで何種類もの規格のフィルムロールに対応することができるように改良されたフィルムロール搬送具を提供することを目的とする。【解決手段】本発明に係るフィルムロール搬送具１１は、フィルムロール５鉛直方向に立てて収容して搬送するためのフィルムロール搬送具であって、フィルムロール５の下部を収容する下箱１２と、下箱１２より周囲長が一回り大きい、フィルムロール５の上部側から下箱１２に被さるように蓋をする上箱１３とを備える。上箱１３の製品出し口に、上箱１３の上端から下箱１２内に垂れ下がるように延びて、フィルムロール５を包んで保護する保護用袋１４が取り付けられている。【選択図】図１
2018024460.tif 000002
【特許請求の範囲】
【請求項１】
フィルムロールを鉛直方向に立てて収容して搬送するためのフィルムロール搬送具であって、
前記フィルムロールの下部を収容する下箱と、
前記下箱より周囲長が一回り大きい、前記フィルムロールの上部側から前記下箱に被さるように蓋をする上箱と、
前記上箱の製品出し口に取り付けられ、前記上箱の上端から前記下箱内に垂れ下がるように延びて、前記フィルムロールを包んで保護する保護用袋と、を備えたフィルムロール搬送具。
【請求項２】
前記上箱及び下箱は、プラスチックダンボールで形成される請求項１に記載のフィルムロール搬送具。
【請求項３】
前記上箱の向かい合う上辺のそれぞれには、バンドを挿入するためのバンド挿入口が設けられる請求項１又は２に記載のフィルムロール搬送具。
【発明の詳細な説明】
【技術分野】
【０００１】
本発明は一般にフィルムロール搬送具に関するものであり、より特定的には一つで何種類もの規格のフィルムロールに対応することができるように改良されたフィルムロール搬送具に関する。
【背景技術】
【０００２】
従来、フィルムロールは段ボール箱に詰められて搬送される。段ボール箱に詰める前に、図５（Ａ）に示すようなフィルムロールの端面を保護する一対の端面保護具１が準備される。端面保護具１は、例えば矩形の段ボール紙２を２枚重ねて形成された板状部材３に、プラスチックで形成された突出部４が設けられてなる。図５（Ｂ）に示すように、端面保護具１は、その突出部４をフィルムロール５のコア６の空洞部に挿入することにより、フィルムロール５の両端面に配置される。フィルムロール５は、例えば熱収縮性筒状ラベル、ストレッチラベルあるいはその他のフィルムがコアを中心にロール状に巻かれたものである。端面保護具１は、フィルムロール５のコア６の両端部を受け止める。
【０００３】
その状態で、フィルムロール５を鉛直方向に立てて段ボール箱７に詰められて、内フラップ９と外フラップ１０を閉じて、図５（Ｃ）に示すように、天側と底側の蓋をガムテープ８などで封じて、トラックなどで搬送される。
【発明の概要】
【発明が解決しようとする課題】
【０００４】
ところで、図６に示すように、フィルムロール５の径Ｄは、厚みと長さ（例えば２５μｍ×２０００ｍ巻き、２０μｍ×２０００ｍ巻き）で決まる。鉛直方向の高さはフィルムの幅で決まり、これには種々の規格が定められている（例えば９８０ｍｍ幅、９００ｍｍ幅、８７０ｍｍ幅）。
【０００５】
そのため、規格で定められたフィルムの幅毎に、図５（Ｂ）に示すような、高さの異なるダンボール箱７をその都度準備しなければならず、ケースサイズアイテム数が多く、煩雑であるという問題点があった。
【０００６】
この発明は、上記のような問題点を解決するためになされたもので、一つで何種類もの規格のフィルムロールに対応することができるように改良されたフィルムロール搬送具を提供することを目的とする。
【０００７】
この発明の他の目的は、フィルムロール内に虫が侵入しないように改良されたフィルムロール搬送具を提供することにある。
【０００８】
この発明のさらに他の目的は、通い用のフィルムロール搬送具を提供することにある。
【課題を解決するための手段】
【０００９】
本発明に係るフィルムロール搬送具は、フィルムロールを鉛直方向に立てて収容して搬送するためのフィルムロール搬送具に係り、上記フィルムロールの下部を収容する下箱と、上記下箱より周囲長（周囲の長さ）が一回り大きい、上記フィルムロールの上部側から上記下箱に被さるように蓋をする上箱と、を備える。上記上箱の製品出し口に、上記上箱の上端から上記下箱内に垂れ下がるように延びて、上記フィルムロールを包んで保護する保護用袋が取り付けられている。
【００１０】
本発明に係るフィルムロール搬送具によれば、フィルムロールの収容部を上箱と下箱とに分離したので、鉛直方向の高さが可変となる。また、フィルムロールは、保護用袋に包まれて保護される。
【００１１】
上記フィルムロール保護具はプラスチックダンボールで形成されるのが好ましい。耐久性があり、通いのフィルムロール搬送具となる。
【００１２】
上記上箱の向かい合う上辺のそれぞれには、バンドを挿入するためのバンド挿入口が設けられるのが好ましい。
【発明の効果】
【００１３】
本発明に係るフィルムロール搬送具によれば、フィルムロールの収容部を上箱と下箱とに分離したので、鉛直方向の高さが可変となる。また、フィルムロールは保護用袋の中で保護されるので、外部からの虫などの侵入を防止することができる。
【図面の簡単な説明】
【００１４】
【図１】本発明の実施例１に係るフィルムロール搬送具の概念を説明する図であり、下箱と上箱とからなる。
【図２】本発明の実施例１に係るフィルムロール搬送具を用いて、フィルムロールを梱包する様子を示す斜視図である。
【図３】（Ａ）はフィルムロールを収容して下箱に上箱を被せて、上箱と下箱とをＰＰバンドで結束して面ファスナでＰＰバンドを固定した状態を示す斜視図であり、（Ｂ）は、図３（Ａ）におけるＢ−Ｂ線に沿う断面図であり、（Ｃ）は、図３（Ｂ）におけるＣ部の、保護用袋と上箱と接着剤とバンド挿入口とＰＰバンドと隙間の位置関係を示すための、上方から見た概念図である。
【図４】（Ａ）はフィルムロールを収容して下箱に上箱を被せて、上箱と下箱とをＰＰバンドで結束してストッパーで固定した状態を示す斜視図であり、（Ｂ）は図４（Ａ）におけるＢ−Ｂ線に沿う断面図である。
【図５】従来のフィルムロール搬送具を説明する図である。
【図６】フィルムロールには種々の大きさの規格があることを説明する図である。
【発明を実施するための形態】
【００１５】
一つで何種類もの規格のフィルムロールに対応することができるように改良されたフィルムロール搬送具を得るという目的を、鉛直方向の高さを可変にすることによって実現した。また、フィルムロール内に虫が侵入しないように改良されたフィルムロール搬送具を得るという目的を、上箱の製品出し口に、上箱の上端から上記下箱内に垂れ下がるように延びて、フィルムロールを包んで保護する保護用袋を取り付けることによって実現した。以下、本発明の実施例を図を用いて説明する。各図中、同一又は相当する部分には同一の参照番号を付し、その説明を繰り返さない。
【実施例１】
【００１６】
図１に示すように、本発明に係るフィルムロール搬送具１１は、下箱１２と、下箱１２より周囲長が一回り大きい上箱１３とを備える。下箱１２及び上箱１３はプラスチックダンボールで形成され、内フラップ９と外フラップ１０を閉じて組み立てられる。外フラップ１０の内面には面ファスナ１７の雌雄の一方１７ａが設けられ、内フラップ９の外面には面ファスナ１７の雌雄の他方１７ｂが設けられている。図示は省略するが、下箱１２にも、同様に面ファスナが取り付けられている。上箱１３の向かい合う上辺のそれぞれに、ＰＰバンドを挿通するためのバンド挿入口１５が設けられている。上箱１３の製品出し口に、上箱１３の上端から下箱１２内に垂れ下がるように延びて、フィルムロール５を包んで保護する保護用袋１４が取り付けられている。保護用袋１４は、接着剤などにより、バンド挿入口１５の部分に隙間を残して、上箱１３の製品出し口に固定される（詳細は図３（Ｃ）を用いて後述する）。保護用袋１４の上部は、折り込み用に余裕を持たせている。この折込用の部分は、隙間なくフィルムロール５の上部を包める大きさに選ばれている。保護用袋１４の下部は閉じられている。保護用袋１４は例えばプラスチックフィルムで形成される。
【００１７】
図２に示すように、フィルムロール５の両端に端面保護具１を取り付けて、保護用袋１４内に、両端が端面保護具１で保護されたフィルムロール５を収容し、フィルムロール５の下部側を下箱１２に収容する。さらに続けて、上箱１３で、フィルムロール５の上部側から下箱１２に被さるように蓋をする。保護用袋１４の折り込み用部分で、フィルムロール５の上部を四方から隙間なく押さえ、内フラップ９を閉じる。次に、面ファスナ１７の雌雄の一方１７ａが他方１７ｂに重なるように、外フラップ１０を閉じる。
【００１８】
図３（Ａ）は、フィルムロール５を下箱１２に収容した状態で、フィルムロール５の上部側から下箱１２に上箱１３が被さるように蓋をした状態の斜視図である。図３（Ｂ）に示すように、バンド挿入口１５に上箱１３と下箱１２をまとめて結束するために予め挿入しておいたＰＰバンド１６を用いて、下箱１２と上箱１３を結束し、予めＰＰバンド１６に設けていた面ファスナ１８で留める。このような状態で搬送される。
【００１９】
図３（Ｃ）の概念図を用いて、バンド挿入口１５の付近を詳しく説明すると、保護用袋１４は、バンド挿入口１５の付近で、隙間２１を残して、接着剤１９などにより、上箱１３の製品出し口に固定されており、ＰＰバンド１６の一方の端部が、この隙間２１を通って上箱１３の内側から外部に出ている。保護用袋１４の側壁には何ら孔は設けられない構成であるので密封性が保たれる。ＰＰバンド１６をバンド挿入口１５に挿入する工程は、どの段階で行ってもよく、図２に示す段階で既に行っているのが好ましい。
【００２０】
作用効果について説明すると、フィルムロール５の鉛直方向の高さが低ければ、下箱１２への上箱１３の被さり方が深くなるように、フィルムロール５の鉛直方向の高さが高ければ、下箱１２への上箱１３の被さり方が浅くなるように調整されるので、鉛直方向の高さが可変となり、ひいては、一つの搬送具で何種類もの規格のフィルムロール５に対応することができる。フィルムロール５は、保護用袋１４の中で保護されるので、外部からの虫などの侵入が防止される。
【００２１】
また上箱１３と下箱１２の重なり部分で、プラスチックダンボールが２枚になるので、強度が向上する。下箱１２はフィルムロール５の径に応じて、その径を変える必要はある。一方、上箱１３は同一の大きさで賄えるので、量産効果により、経済的である。
【００２２】
フィルムロール５を取り出す時は、上箱１３のフラップの面ファスナ１７を外して、保護用袋１４の折り込み用部分を開いて、製品取出し口より、フィルムロール５を取り出す。本発明に係るフィルムロール搬送具１１は、フィルムロール５の取出し後は、そのまま圧縮し折り畳んで、返却され、通いとして何回も用いられる。
【００２３】
なお、図４（Ａ）、（Ｂ）に示すようにＰＰバンド１６の固定は、ストッパー２０を用いて行うように構成してもよい。ストッパー２０で固定する場合は、ＰＰバンド１６は底部に２回巻きになる。
【００２４】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２５】
本発明に係るフィルムロール搬送具によれば、鉛直方向の高さが可変となるので、一つで何種類もの規格のフィルムロールを収容し搬送することができる。また、フィルムロールは保護用袋の中で保護されるので、外部からの虫の侵入が防止される。
【符号の説明】
【００２６】
１ 端面保護具
２ 段ボール紙
３ 板状部材
４ 突出部
５ フィルムロール
６ コア
７ 段ボール箱
８ ガムテープ
９ 内フラップ
１０ 外フラップ
１１ フィルムロール搬送具
１２ 下箱
１３ 上箱
１４ 保護用袋
１５ バンド挿入口
１６ ＰＰバンド
１７、１８  面ファスナ
１９ 接着剤
２０ ストッパー
２１ 隙間
【図１】
2018024460.tif 000003
【図２】
2018024460.tif 000004
【図３】
2018024460.tif 000005
【図４】
2018024460.tif 000006
【図５】
2018024460.tif 000007
【図６】
2018024460.tif 000008